(57)【要約】【課題】前面扉の交換を行う際の作業を容易にすることで、作業者の負担を軽減させる。【解決手段】本体部材３に収納部６５を設け、コイルバネ６６と本体側コネクタ４５とを収納し、カバー６８の開口６８ａから本体側コネクタ４５を突出させる。上部扉４に本体側コネクタ４５と嵌合される扉側コネクタ４６を設ける。上部扉４の交換時に、施錠装置５０における上部扉４と本体部材３との施錠を解除すると、コイルバネ６６の付勢により上部扉４が押し出され、本体部材３に設けられた扉開閉スイッチ７０がオフとなる。これにより、上部扉４５への給電が停止される。【選択図】図６
2008000413.tif 000002
【特許請求の範囲】
【請求項１】
遊技を制御する遊技制御装置が組み付けられた遊技機本体と、
前記遊技機本体に回動自在に組み付けられ、前記遊技制御装置と電気的に接続される電気回路基板を備えた前面扉と、
前記前面扉の開閉状態を検知する開閉検知手段と、を備えた遊技機において、
前記遊技機本体は、前記遊技制御装置からの導線が接続される本体側コネクタを備え、
前記前面扉は、前記電気回路基板からの導線が接続され、該前面扉が閉じ位置へ回動したときに前記本体側コネクタと嵌合される扉側コネクタを備え、
前記遊技制御装置に、前記開閉検知手段によって前記前面扉の開放が検知された場合に、前記電気回路基板への電気的送信を停止する送信停止手段を備えたことを特徴とする遊技機。
【請求項２】
前記前面扉を開放する際に、前記開閉検知手段によって前記前面扉が開放されたことを検知した後に、前記本体側コネクタと扉側コネクタとの嵌合が解除されることを特徴とする請求項１記載の遊技機。
【請求項３】
前記本体側コネクタは、前記遊技機本体の前後方向に移動可能となるように前記遊技機本体に組み込まれ、前記前面扉の開放時には、前記本体側コネクタと扉側コネクタとが嵌合した状態を保持したまま、前記遊技機本体の前面から突出する方向に移動することを特徴とする請求項２記載の遊技機。
【請求項４】
前記本体側コネクタを前記遊技機本体の前面から突出する方向に付勢する付勢手段を備えたことを特徴とする請求項３記載の遊技機。
【発明の詳細な説明】
【技術分野】
【０００１】
本発明は、パチンコ店などの遊技場に設置される、例えばパチンコ機などの遊技機に関するものである。
【背景技術】
【０００２】
パチンコ店などの遊技場に設置される遊技機としてパチンコ機が挙げられる。このパチンコ機は、遊技領域が形成された遊技盤や、該遊技領域を視認可能とする窓を備えた前面扉が、その基体となる本体部材に対して着脱自在に組み付けられている。例えば遊技盤には、その前面からレール飾り板が、その後面からパチンコ機の遊技における制御を行う遊技制御装置や、図柄の可変表示及び図柄の停止表示が行われる図柄表示装置などが保持される保持板がそれぞれ組み付けられている。
【０００３】
このような遊技盤の遊技領域には、上述した図柄表示装置の表示画面が露呈されるセンター役物と呼ばれる構造物や、入賞チャッカー等の入賞装置や、始動チャッカー、アタッカなどの可動入賞装置などが設けられている。また、センター役物や飾りなどの構造物内にはＬＥＤやランプなどの光源が内蔵されており、これら光源の点灯・消灯などによって、構造物が所定のパターンによって発光表示される。また、前面扉には、報知音や演出音を再生するスピーカや、内部に光源が組み込まれた発光部を備えて構成されており、例えば上述したセンター役物や飾りの発光表示と連動した演出音の再生や、発光部の発光が行われるようになっている。例えば前面扉にスピーカや光源を配置した場合、これら部材に給電を行う、或いはこれら部材を作動させる回路基板が前面扉に組み付けられており、この回路基板が、ハーネスを介して、本体部材、或いは遊技盤に組み付けられた制御装置（基板）と電気的に接続されている（例えば特許文献１、２等）。
【特許文献１】特開２００３−８８６６０号公報
【特許文献２】特開２００５−２８７９０２号公報
【発明の開示】
【発明が解決しようとする課題】
【０００４】
しかしながら、このように前面扉に組み付けられる回路基板と、本体部材或いは遊技盤に組み付けられる制御装置とをハーネス等により接続した場合、例えば前面扉に組み付けられたスピーカ、光源、或いは回路基板の不具合等により、不具合となる部材、或いは前面扉ごと交換を行う必要があるときには、例えば本体部材の裏面に設けられた電源スイッチをオフにした後で、上述したハーネスによる回路基板と制御装置との接続を解除する必要があり、また、交換した後には、ハーネスによる回路基板と制御装置との接続を行った後に電源スイッチをオンにする必要があるため、交換作業を行う作業者に面倒であり、作業時の負担が大きいという欠点がある。
【０００５】
本発明は、上記課題を解決するためになされたものであり、例えば前面扉の交換を行う際の作業を容易にすることで、作業者の負担を軽減させることができるようにした遊技機を提供することを目的とする。
【課題を解決するための手段】
【０００６】
上記目的を達成するために、本発明の遊技機は、遊技を制御する遊技制御装置が組み付けられた遊技機本体と、前記遊技機本体に回動自在に組み付けられ、前記遊技制御装置と電気的に接続される電気回路基板を備えた前面扉と、前記前面扉の開閉状態を検知する開閉検知手段と、を備えた遊技機において、前記遊技機本体は、前記遊技制御装置からの導線が接続される本体側コネクタを備え、前記前面扉は、前記電気回路基板からの導線が接続され、該前面扉が閉じ位置へ回動したときに前記本体側コネクタと嵌合される扉側コネクタを備え、前記遊技制御装置に、前記開閉検知手段によって前記前面扉の開放が検知された場合に、前記電気回路基板への電気的送信を停止する送信停止手段を備えたことを特徴とする。なお、遊技制御装置からの導線や電気回路基板からの導線としては、直接電気回路基板に接続される導線の他に、他の回路制御部品からの導線が他のコネクタを介して接続される導線も含むものである。
【０００７】
また、前記前面扉を開放したときに、前記開閉検知手段によって前記前面扉が開放されたことを検知した後に、前記本体側コネクタと扉側コネクタとの嵌合が解除されることを特徴とする。
【０００８】
また、前記本体側コネクタは、前記遊技機本体の前後方向に移動可能となるように前記遊技機本体に組み込まれ、前記前面扉の開放時には、前記本体側コネクタと扉側コネクタとが嵌合した状態を保持したまま、前記遊技機本体の前面から突出する方向に移動することを特徴とする。
【０００９】
また、前記本体側コネクタを前記遊技機本体の前面から突出する方向に付勢する付勢手段を備えたことを特徴とする。
【発明の効果】
【００１０】
本発明の遊技機によれば、遊技を制御する遊技制御装置が組み付けられた遊技機本体と、前記遊技機本体に回動自在に組み付けられ、前記遊技制御装置と電気的に接続される電気回路基板を備えた前面扉と、前記前面扉の開閉状態を検知する開閉検知手段と、を備えた遊技機において、前記遊技機本体は、前記遊技制御装置からの導線が接続される本体側コネクタを備え、前記前面扉は、前記電気回路基板からの導線が接続され、該前面扉が閉じ位置へ回動したときに前記本体側コネクタと嵌合される扉側コネクタを備え、前記遊技制御装置に、前記開閉検知手段によって前記前面扉の開放が検知された場合に、前記電気回路基板への電気的送信を停止する送信停止手段を備えたから、例えば、電気的送信として給電を停止させる場合には、従来では前面扉を交換する前に、主電源である電源スイッチをオフにする必要があったが、本発明では、前面扉を開放したときに、前面扉に設けられる電気回路基板への給電が停止されることになるから、電源スイッチをオフにする必要がなく、前面扉の交換時の作業を容易にすることができる。
【００１１】
また、前記前面扉を開放する際に、前記開閉検知手段によって前記前面扉が開放されたことを検知した後に、前記本体側コネクタと扉側コネクタとの嵌合が解除されるから、前面扉の交換などの作業時に、コネクタの嵌合を解除する作業の際の感電などを防止することができる。
【００１２】
また、前記本体側コネクタは、前記遊技機本体の前後方向に移動可能となるように前記遊技機本体に組み込まれ、前記前面扉の開放時には、前記本体側コネクタと扉側コネクタとが嵌合した状態を保持したまま、前記遊技機本体の前面から突出する方向に移動するから、前面扉の交換などの作業時に、コネクタの嵌合を解除する作業の際の感電などを防止することができる。
【００１３】
また、前記本体側コネクタを前記遊技機本体の前面から突出する方向に付勢する付勢手段を備えたから、前面扉を開放する際には、前面扉が付勢手段の付勢によって所定量回動することになるので、前面扉を容易に開放させることができる。
【発明を実施するための最良の形態】
【００１４】
図１に、本発明を用いたパチンコ機の外観を示す。このパチンコ機（遊技機）２は、基体となる本体部材（遊技機本体）３に、上部扉４及び下部扉５からなる２枚の前面扉６が本体部材３に対して回動自在となるように、図示しないヒンジ部を介して組み付けられる。上部扉（前面扉）４の中央には開口４ａが設けられており、この開口４ａは上部扉４の裏側に取り付けられるガラス等の透光性を有する部材により遮蔽される。なお、上部扉４が閉じている状態では、遊技の際に遊技領域２５を流下する遊技球や、遊技領域２５に設けられた構造物は、上記開口４ａを遮蔽するガラスを介して視認される。なお、符号８は、本体部材３を遊技場等に固定するための固定枠である。
【００１５】
この上部扉４の幅方向の両端縁部には、例えばＬＥＤ１０が配列された電飾基板（電気回路基板）１１，１２が配置され、これら電飾基板１１，１２は、導線（図示省略）によって接続されている。また、これら電飾基板１１，１２のうち、電飾基板１１の背面には電飾基板１１に設けられた回路端子と電気的に連通され、上部扉４の背面にて露呈するように取り付け保持される扉側コネクタ４６が設けられている（図２参照）。なお、この電飾基板１１には、ＬＥＤ用の回路の他に、スピーカ１３，１４と接続される回路が形成されており、この回路用の回路端子も扉側コネクタ４６と電気的に連通される。また、これら電飾基板１１，１２の内側であって、上部扉４の上部にはスピーカ１３，１４が配置されている。これらスピーカ１３，１４は導線（図示せず）によって、電飾基板１１に設けられたスピーカ用の回路に接続されている。なお、電飾基板１１，１２は、透光性を有し、且つ有色からなる合成樹脂から形成された飾り１６、１７に被覆され、スピーカ１３、１４は、有色からなる合成樹脂から形成されたスピーカカバー１８，１９によって被覆されている。
【００１６】
上部扉４の回動中心となるヒンジ側端縁部とは反対側の端縁部であって、上部扉４の上下方向の略中心となる箇所には、施錠装置５０を構成するキーシリンダ２０の鍵穴２１が露呈されている。このキーシリンダ２０の鍵穴２１には、解錠キー２２が挿入される。例えば、キーシリンダ２０の鍵穴２１に挿入された解錠キー２２を図１中Ａ方向に回転させると、本体部材３と上部扉４との施錠が解除され、上部扉４が開放自在となる（図２参照）。一方、解錠キー２２を図１中Ｂ方向に回転させると、本体部材３と固定枠８との施錠が解除され、本体部材３が開放自在となる（図３参照）。
【００１７】
上述したように、上部扉４の略中央には開口４ａが設けられており、パチンコ機２の内部に設けられた遊技領域２５が視認可能となっている。この遊技領域２５には、その中央にセンター役物２６と呼ばれる構造物が設けられ、そのセンター役物２６の下方に、通過チャッカー２７、始動チャッカー２８、入賞チャッカー２９、アタッカ３０等の入賞装置が設けられている。なお、これら構造物や、入賞装置については周知であるので、ここではその詳細は省略する。このような遊技領域２５を流下する遊技球は、上述した入賞装置に入賞する、或いは入賞しない場合には、アウト口３１によって回収される。
【００１８】
下部扉５には、操作ハンドル３５や、供給皿３６等が設けられている。操作ハンドル３５は、例えば回転自在に設けられており、操作ハンドル３５を回転させると、発射装置（図示省略）が操作ハンドル３５の回転量に合わせた打ち出し強さで遊技球を遊技領域２５に向けて打ち出す。
【００１９】
供給皿３６は、遊技を開始する際に遊技球が供給される他に、遊技領域２５を流下する遊技球が、遊技領域２５に設けられた入賞装置のいずれかに入賞したことを受けて払い出される賞球としての遊技球が受容される。なお、符号３７は、払出口であり、この払出口３７を介して遊技球が払い出される。この供給皿３６は送込通路３８と連通しており、この供給皿３６に受容された遊技球は送込通路３８へと転動し、送込通路３８の内部を案内される過程で１列に整列される。なお、符号３９は仕切り板であり、払出口３７から払い出された遊技球が直接送込通路３８へと転動することを防止している。
【００２０】
図２に示すように、本体部材３の上端部には、一端が遊技制御装置８０（図５参照）に接続された導線の他端に備えさせた本体側コネクタ４５が露呈するように取り付け保持されている。この本体側コネクタ４５は、上部扉４に組み込まれた電飾基板１１の背面に露呈するように保持された扉側コネクタ４６に嵌合される。例えば開いている上部扉４を閉じる（図２中Ｃ方向へと回動させる）と、この上部扉４の閉鎖回転に従って扉側コネクタ４６が本体側コネクタ４５に嵌合される。また、閉じている上部扉４を開ける（図２中Ｄ方向へと回動させる）と、この上部扉の開放回転に従って扉側コネクタ４６と本体側コネクタ４５との嵌合が解除される。
【００２１】
図２又は図３に示すように、施錠装置５０は、本体部材３の背面であって、本体部材３の回動中心となるヒンジ側端縁部とは反対側となる端縁部に、且つ本体部材３の上下方向に沿って配設されている。この施錠装置５０は、上述した本体部材３の前面側に鍵穴２１が露呈するキーリンダ２０の他に、第１係止爪５１，５２、第２係止爪５３，５４、及びキーシリンダ２０と各係止爪とを連繋させる連動板５５を備えた構成となっている。第１係止爪５１，５２は、本体部材３の上下方向に、所定の間隔を空けて設けられており、上部扉４を閉じたときに、上部扉４の背面であって、その上部及び下部にそれぞれ設けられた係合部６０，６１にそれぞれ係合される。これにより、上部扉４が本体部材３の前面に保持される。
【００２２】
第２係止爪５３，５４は、本体部材３の上下方向に所定の間隔を空けて設けられており、本体部材３を閉じたときに、固定枠８に組み付けられた係合片６２，６３に係合することで、本体部材３を開閉不能に閉じ位置に保持する。
【００２３】
連動板５５は、キーシリンダ２０に挿入された解錠キー２２が図１中Ａ方向、或いは図１中Ｂ方向に回転された場合に、キーシリンダ２０に設けられた伝達部材６３を介して連動部材５５を本体部材３の上方向（図３中Ｅ方向）、或いは下方向（図３中Ｆ方向）にスライドさせる。このスライドの際に、第１係止爪５１，５２、或いは第２係止爪５３，５４を回動させる。例えば連動板５５が図３中Ｅ方向に移動した場合には、第２係止爪５３，５４を回動させ、第２係止爪５３と係合片６２との係合、及び第２係止爪５４と係合片６３との係合をそれぞれ解除する。これにより、本体部材３を固定枠８に対して回動させることが可能となる。一方、連動板５５が図３中Ｆ方向に移動した場合には、第１係止爪５１，５２を回動させ、第１係止爪５１と係合片６２との係合、及び第１係止爪５２と係合片６３との係合をそれぞれ解除する。これにより、上部扉４を開閉自在に回動させることが可能となる。
【００２４】
上述したように、本体部材３の回動中心となるヒンジ側端部とは反対側となる端部であって、その上部には、上述した本体側コネクタ４５が設けられている。本体部材３には、本体側コネクタ４５を収納するこの収納部６５が設けられている。この収納部６５は、先端が遮蔽され他端が開口する略有底筒状から構成されている。この収納部６５には、本体側コネクタ４５とコイルバネ６６とが収納される。コイルバネ（付勢手段）６６は、その一端が収納部６５の底面６５ａに当接され、その他端が、本体側コネクタ４５のピン挿入ポートとは反対側の面に組み付けられた中継基板６７の裏面にそれぞれ当接された状態で収納される。これにより、本体側コネクタ４５が図４中Ｆ方向に付勢される。なお、符号６８はカバーであり、このカバー６８を収納部６５の開口を塞ぐように設けることで、コイルバネ６６によって付勢される本体側コネクタ４５及び中継基板６７が収納部６５から逸脱することを防止することができる。なお、収納部６５に収納される本体側コネクタ４５のピン挿入ポート側は、カバー６８の略中央に設けられた開口６８ａから本体部材３の前面に向けて出没自在とされる（図７参照）。
【００２５】
この本体側コネクタ４５の近傍であって、本体部材３の回動中心側となるヒンジ側端部方向には、扉開閉スイッチ（開閉検知手段）７０が隣接して設けられている。この扉開閉スイッチ７０は、上部扉４が閉じているか否かを検知するために設けられている。この扉開閉スイッチ７０は、上部扉４が閉じているときに上部扉４の背面に設けられた接触片７１に扉開閉スイッチ７０の前面に設けた被押圧片７０ａが押圧されることでオンとなり、上部扉４が開放するに従って接触片７１が被押圧片７０ａから離間して押圧が解除されることでオフとなる。この扉開閉スイッチ７０からの出力は、遊技制御装置８０（図５参照）に出力される。
【００２６】
図５は、パチンコ機２の電気的構成を示す機能ブロック図である。なお、図に示す機能ブロック図は、本発明に関わる箇所のみを示し、他の箇所については省略して示してある。パチンコ機２は、遊技制御装置８０を備えている。この遊技制御装置８０は、ＣＰＵ８１、ＲＯＭ８２、ＲＡＭ８３を備えて構成されている。ＣＰＵ８１は、ＲＯＭ８２に記憶された遊技制御プログラム８５を実行することで、制御部８６及び状態判定部８７として機能する。例えば制御部８６は、遊技領域２５に設けられた入賞装置に入賞した場合に、賞球としての遊技球の払い出しを実行する、或いは移行抽選に行われたときに図柄表示装置３２における図柄の可変表示、及び抽選結果を示す停止表示を実行させる。この他に、ランプ制御装置（給電停止手段）９０や音声制御装置（給電停止手段）９１に、演出開始信号を出力する。これに応答して、本体部材３に組み付けられた本体側電飾９２や、上部扉４に設けられた電飾基板１１，１２の点灯・消灯が実行される。また、本体部材３に設けられたスピーカ９３や上部扉４に設けられたスピーカ１３，１４における演出音の再生が実行される。
【００２７】
状態判定部８７は、扉開閉スイッチ７０からの出力を受けて、上部扉４が閉じているか、開いているかを判定する。この状態判定部８７によって上部扉４が開いていると判定された時には、制御部８６はランプ制御装置９０、及び音声制御装置９１に給電停止信号を出力する。この給電停止信号の出力後に制御部８６は、扉開閉スイッチ７０の出力のないオフ状態となっている間において、ランプ制御装置９０や音声制御装置９１に対し、電飾基板１１，１２、スピーカ１３，１４への給電の停止、及び演出開始信号の出力規制を行う。なお、状態判定部８７によって上部扉４が閉じていると判定された（扉開閉スイッチ７０の出力のあるオン状態となる）場合には、ランプ制御装置９０、音声制御装置９１へ給電停止信号の出力停止及び演出開始信号の出力規制の解除を行う。なお、本実施形態では、扉開閉スイッチ７０がオフ状態になった場合には、上部扉４側の制御装置（電飾基板）などへの給電停止、及び演出開始信号の出力規制の双方を行うようにしているが、上部扉４側の制御装置（電飾基板）への給電停止のみを行うことも可能である。
【００２８】
次に、本実施形態の作用について説明する。遊技場の島設備にパチンコ機２が配設されている状態では、パチンコ機２の本体部材３は、施錠装置５０によって固定枠８に固定されている。また、上部扉４も、施錠装置５０によって本体部材３に固定されている。図４に示すように、この状態では、本体側コネクタ４５と、扉側コネクタ４６とは嵌合された状態となる。また、扉開閉スイッチ７０は、その被押圧片７０ａが上部扉４に設けられた接触片７１に押圧されることでオンとなる。
【００２９】
例えば遊技場の店員や作業者が、上部扉４の交換を行う場合には、解錠キー２２をキーシリンダ２０に挿入し、図１中Ａ方向に回転させる。この回転によって連動板５５が図３中Ｅ方向にスライドし、第１係止爪５１と係合片６０との係合、及び第１係止爪５２と係合片６１との係合がそれぞれ解除され、本体部材３と上部扉４との施錠が解除される。このとき、本体側コネクタ４５はコイルバネ６６によって図４中Ｆ方向に付勢されていることから、本体部材３と上部扉４との施錠が解除されると、上部扉４がコイルバネ６６の付勢によって図４中Ｇ方向に押し出される。上部扉４が図４中Ｇ方向へ押し出されることにより、本体側コネクタ４５と扉側コネクタ４６との嵌合が解除されるよりも前に上部扉４に設けられた接触片７１による扉開閉スイッチ７０の被押圧片７０ａの押圧が解除され、扉開閉スイッチ７０がオフとなる（図６参照）。状態判定部８７では、扉開閉スイッチ７０がオフとなることを受けて、上部扉４が開いていると判定し、制御部８６はランプ制御装置９０や音声制御装置９１に給電停止信号を出力する。
【００３０】
この給電停止信号を出力した後に、制御部８６は、オフ状態となっている間において、ランプ制御装置９０は、上部扉４に組み付けられた電飾基板１１，１２への給電を停止させ、音声制御装置９１は、上部扉４に組み付けられたスピーカ１３，１４への給電の停止と、演出開始信号の出力規制を行う。これにより，ＬＥＤ１０の発光、及びスピーカ１３，１４による演出音の再生が停止される。
遊技場の店員、或いは作業者は、上部扉４上部扉４を図５中Ｇ方向に開放回動をさせる。本体側コネクタ４５の裏面側には中継基板６７に組み付けられていることから、図５中Ｇ方向に本体側コネクタ４５が移動したときに、カバー６３に設けられた開口６８の周縁部と中継基板６２が当接し、本体側コネクタ４５のピン挿入ポート側におけるコイルバネ６６の付勢に基づく移動が停止されている。そして、遊技場の店員や作業者が上部扉４を開放する方向に回動させたときに、上部扉４に組み付けられた扉側コネクタ４６と、本体部材３に組み付けられた本体側コネクタ４５との嵌合が解除される。この状態で、遊技領域２５の内部に配設された障害釘の調整など、遊技盤面におけるメンテナンス作業や上部扉４の交換が行われる。これにより、本体部材３と固定枠８との施錠を解除して、パチンコ機２の本体部材３の背面側に設けられる電源スイッチをオフにする必要がないため、上部扉４の交換時の作業性向上させることができる。
【００３１】
例えば上部扉４を交換した後、上部扉４を図６中Ｈ方向に、つまり上部扉４を閉じる方向に回動させると、本体側コネクタ４５に扉側コネクタ４６が当接され、扉側コネクタ４６によって本体側コネクタ４５がコイルバネ６６の付勢に抗して図６中Ｊ方向に移動する。その後、中継基板６７が、収納部６５の内部空間に設けられた段差面６５ｂに当接されることで、本体側コネクタ４５の移動が停止され、本体側コネクタ４５と扉側コネクタ４６とが電気的な通信が可能となるように嵌合される。この嵌合の過程で、扉開閉スイッチ７０の被押圧片７０ａが接触片７１に押圧され、扉開閉スイッチ７０がオンとなる。
【００３２】
上述したように、状態判定部８７では、扉開閉スイッチ７０の状態から上部扉４の開閉状態を判定していることかから、扉開閉スイッチ７０がオンとなることを受けて、上部扉４が閉じていると判定する。この判定を受けて、制御部８６は、給電開始信号をランプ制御装置９０、音声制御装置９１に出力し、給電の停止と演出開始信号の出力規制の解除を行う。これにより、電飾基板１１，１２やスピーカ１３，１４に給電が行われ、ＬＥＤ１０の発光・消灯制御、スピーカ１３，１４による演出音の再生制御が再開される。この場合、ランプ制御装置９０、音声制御装置９１以外には給電が行われているため、交換作業時が終了した後でパチンコ機２の電源スイッチをオンにする場合に発生するチャタリング（オンにしているのにも関わらず、オン、オフを繰り返す状態）の発生、或いはその影響を抑えることができる。また、制御部８６から上部扉４側への制御装置への電気的な通信の途中で上部扉４が開放され、データの通信障害が発生するということを防止することができる。
【００３３】
なお、本実施形態では、扉開閉スイッチを本体側コネクタの近傍に設けた実施形態としているが、これに限定する必要はなく、扉開閉スイッチをさらに上部扉のヒンジ側端部寄りに設けることも可能である。このように、扉開放スイッチをヒンジ側端部寄りに設けることで、本体側コネクタと扉側コネクタとの嵌合が解除される前に、扉開閉スイッチがオフになる状態を作り出せるので、本体側コネクタを前後に移動させるという構造にする必要がないという利点がある。
【図面の簡単な説明】
【００３４】
【図１】本発明のパチンコ機の外観を示す斜視図である。
【図２】上部扉を開けた状態を示す斜視図である。
【図３】パチンコ機を固定枠に対して回動させた状態を示す斜視図である。
【図４】上部扉が閉じている状態のときの本体側コネクタと扉側コネクタとの近傍の状態を示す断面図である。
【図５】パチンコ機の電気的構成を示す機能ブロック図である。
【図６】上部扉と本体部材との施錠が解除されたときの本体側コネクタと扉側コネクタとの近傍の状態を示す断面図である。
【図７】上部扉が開いているときの本体側コネクタと扉側コネクタとの状態を示す断面図である。
【符号の説明】
【００３５】
２  パチンコ機（遊技機）
３  本体部材（遊技機本体）
４  上部扉（前面扉）
１１，１２  電飾基板（電気回路基板）
１３，１４  スピーカ
４５  本体側コネクタ
４６  扉側コネクタ
６６  コイルバネ（付勢手段）
７０  扉開閉スイッチ（開閉検知手段）
８０  遊技制御装置
８７  状態判定部
９０  ランプ制御装置（送信停止手段）
９１  音声制御装置（送信停止手段）
【図１】
2008000413.tif 000003
【図２】
2008000413.tif 000004
【図３】
2008000413.tif 000005
【図４】
2008000413.tif 000006
【図５】
2008000413.tif 000007
【図６】
2008000413.tif 000008
【図７】
2008000413.tif 000009